(57)【特許請求の範囲】
【請求項１】
遊技球が遊技盤の表面に沿って、釘及び風車を含む障害物に当接しながら落下する領域に設けられ、入賞口から遊技球が入賞することで遊技の進行に変化をもたらす遊技機であって、
前記入賞口が設けられると共に入賞した遊技球の案内路を形成する入賞案内部材と、前記案内路を通過する遊技球を検出する球検出センサと、前記入賞口からの遊技球の入賞をし易くする開放位置及び前記入賞口からの遊技球の入賞をし難くする閉止位置に移動可能な可動体と、通電時に前記可動体を前記開放位置へ移動させ、非通電時に前記可動体を前記閉止位置へ移動させる駆動手段とを備えた役物装置と、
前記駆動手段が非通電の状態では、前記球検出センサでの遊技球の検出を無効とする球検出無効化手段と、
前記役物装置の一部として前記入賞口に対応して設けられ前記入賞口に入賞する、又は入賞口前を通過する前記遊技球の直径程度の隙間を形成する部材であり、当該部材が入賞口前から取り外された又は開放された状態を検出する状態検出センサと、
前記状態検出センサの出力信号が、前記部材が入賞口前から取り外された又は開放された状態を検出したときに発する動作信号である場合に、前記球検出無効化手段の機能を解除する解除手段と、
を有する遊技機。
【請求項２】
遊技球が遊技盤の表面に沿って、釘及び風車を含む障害物に当接しながら落下する領域に設けられ、入賞口から遊技球が入賞することで遊技の進行に変化をもたらす遊技機であって、
前記入賞口が設けられると共に入賞した遊技球の案内路を形成する入賞案内部材と、前記案内路を通過する遊技球を検出する球検出センサと、前記入賞口からの遊技球の入賞をし易くする開放位置及び前記入賞口からの遊技球の入賞をし難くする閉止位置に移動可能な可動体と、通電時に前記可動体を前記開放位置へ移動させ、非通電時に前記可動体を前記閉止位置へ移動させる駆動手段とを備えた役物装置と、
前記駆動手段が非通電の状態では、前記球検出センサでの遊技球の検出を無効とする球検出無効化手段と、
前記駆動手段の非通電状態で前記可動体の開放を検出する状態検出センサと、
前記状態検出センサの出力信号が、前記駆動手段の非通電状態で前記可動体の開放を検出したときに発する動作信号である場合に、前記球検出無効化手段の機能を解除する解除手段と、
を有する遊技機。
【請求項３】
遊技球が遊技盤の表面に沿って、釘及び風車を含む障害物に当接しながら落下する領域に設けられ、入賞口から遊技球が入賞することで遊技の進行に変化をもたらす遊技機であって、
前記入賞口が前記遊技盤の表面から突出しないように前記遊技盤に収容され、当該入賞した遊技球の案内路を形成する入賞案内部材と、前記案内路を通過する遊技球を検出する球検出センサと、前記入賞案内部材における前記入賞口の開口端近傍に設けられ、少なくとも、前記遊技盤の表面から突出する第１の位置及び前記遊技盤の表面から突出しない第２の位置に移動可能な可動体と、通電時に前記可動体を前記第１の位置へ移動させ、非通電時に前記可動体を前記第２の位置へ移動させる駆動手段と、前記入賞口と対面し前記遊技球が通過可能な隙間に相当する距離だけ離れた位置に着脱又は開閉可能に配置されたカバー部材と、前記カバー部材の着脱状態又は開閉状態を検出する状態検出センサとを備えた役物装置と、
前記駆動手段が非通電の状態では、前記球検出センサでの遊技球の検出を無効とする球検出無効化手段と、
前記状態検出センサの出力信号が、前記カバー部材の取り外し中又は開放中を示す信号である場合に、前記球検出無効化手段の機能を解除する解除手段と、
を有する遊技機。
【請求項４】
前記カバー部材は、前記取り付け状態又は閉止状態で、前記入賞口、並びに前記可動体の動作状態を遊技者から見にくくする隠蔽機能と、遊技者の視線で見える面に施された画像による装飾機能とを備えることを特徴とする請求項３記載の遊技機。
【発明の詳細な説明】
【技術分野】
【０００１】
本発明は、遊技球が遊技盤の表面に沿って、釘及び風車を含む障害物に当接しながら落下する領域に設けられ、入賞することで遊技の進行に変化をもたらす役物装置を備えた遊技機に関する。
【背景技術】
【０００２】
従来、遊技機、特にパチンコ機において、始動入賞口に遊技球が入賞すると、制御上、内部的に抽選が実行され、役物内に設けた画像表示装置（ＬＥＤやＬＣＤ等）による図柄変動パターン演出によって抽選結果を報知し、当該抽選による当選が報知された場合には、通常遊技状態では常に閉止状態の特別入賞口（「大入賞口」や「アタッカー」等と称する場合がある）を開放し、遊技者に有利な遊技状態（以下、「特別遊技状態」という）を付与することがなされている。
【０００３】
このように、遊技盤は、遊技球が始動入賞口等の所定の入賞口に入賞することで、遊技状態に大きな変化（遊技者に有利な状態に変化）が生ずる。
【０００４】
このような入賞口には、所謂普通電動役物と称され、入賞の度合いを変化させる可動部材が取り付けられる場合がある。
【０００５】
可動部材としては、電動チューリップタイプ（遊技盤の横方向に移動(開閉)するタイプ）が一般的である。この電動チューリップのように横に開閉部材である羽根（花びら）が開くタイプでは、不用意に遊技球が入り易く、設計から逸脱した入賞があり得る。
【０００６】
一方、特許文献１には、可動部材として舌状可動片タイプ（遊技盤の奥行き方向に移動するタイプ）が開示されている。この舌状可動片タイプのように遊技盤から出没する構造は、前記電動チューリップタイプよりも、予期せぬ入賞は少ないため、設計通りの遊技の進行が厳格な場合に有効である。
【０００７】
上記可動部材が設けられた入賞口（以下、「可動入賞装置」という場合がある）には、その流路の途中に球検出センサが設けられている。球検出センサの検出精度は、賞球払い出しに多大な影響を及ぼすため、当該球検出センサの検出状況を、定期的、或いは不定期に検査する必要がある。検査工程としては、検査者がガラス扉を開放し、積極的に球を挿入し、この挿入された球を正しく検出したか否かを行なうようになっている。
【０００８】
なお、参考として、遊技機では、可動入賞装置の入賞口への入賞を不正に行われることを防止するための手段が備えている。
【０００９】
特許文献２では、制御指令による可動入賞装置の開放時以外は、当該可動入賞装置の入賞口への入賞を無効にすることが提案されている。
【００１０】
また、特許文献３では、ガラス扉が開放中は、入賞口への入賞を無効にすることが提案されている。
【先行技術文献】
【特許文献】
【００１１】
【特許文献１】特開２００７−３１２９５６号公報
【特許文献２】特開平５−２２８２５２号公報
【特許文献３】特開２００５−２４５８５５号公報
【発明の概要】
【発明が解決しようとする課題】
【００１２】
しかしながら、可動入賞装置では、制御指令によって電気的に可動片（電動チューリップや舌片）を動作させなければ球が入賞できない構造となっている場合があり、このような場合、検査者が可動片を指等に引っ掛けて、制御指令によらずに開放させる必要がある。この場合、例えば、特許文献２のような不正防止システムが作動していると、球の入賞時体が無効となる。すなわち、遊技の進行に応じた適正な動作以外による開放では、入賞自体が無効となり、検査が行えない。
【００１３】
特に、電動チューリップ型の可動入賞装置ではなく、舌状可動片タイプの可動入賞装置の場合、遊技盤との間にパチンコ球の流通路を挟んで、正面に装飾カバーが固定的に取り付けられていることが多い。このような装飾カバーが存在していると、検査者が入賞すら行えず、検査を行うことが困難となっている。
【００１４】
本発明は上記事実を考慮し、遊技の進行に応じた適正な動作以外による開放では入賞自体が無効となる球検出センサの検出状態を検査する場合に、不正を監視する制御システム自体を解除することなく、迅速に検査することができる遊技機を得ることが目的である。
ことが目的である。
【課題を解決するための手段】
【００１５】
本発明は、遊技球が遊技盤の表面に沿って、釘及び風車を含む障害物に当接しながら落下する領域に設けられ、入賞口から遊技球が入賞することで遊技の進行に変化をもたらす遊技機であって、前記入賞口が設けられると共に入賞した遊技球の案内路を形成する入賞案内部材と、前記案内路を通過する遊技球を検出する球検出センサと、前記入賞口からの遊技球の入賞をし易くする開放位置及び前記入賞口からの遊技球の入賞をし難くする閉止位置に移動可能な可動体と、通電時に前記可動体を前記開放位置へ移動させ、非通電時に前記可動体を前記閉止位置へ移動させる駆動手段とを備えた役物装置と、前記駆動手段が非通電の状態では、前記球検出センサでの遊技球の検出を無効とする球検出無効化手段と、前記役物装置の一部として前記入賞口に対応して設けられ前記入賞口に入賞する、又は入賞口前を通過する前記遊技球の直径程度の隙間を形成する部材であり、当該部材が入賞口前から取り外された又は開放された状態を検出する状態検出センサと、前記状態検出センサの出力信号が、前記部材が入賞口前から取り外された又は開放された状態を検出したときに発する動作信号である場合に、前記球検出無効化手段の機能を解除する解除手段と、を有している。
【００１６】
本発明によれば、役物装置に設けられた可動体は、駆動手段の通電状態で動作する。すなわち、駆動手段の通電時、可動体は入賞口からの入賞をし易くする開放位置に移動される。一方、駆動手段の非通電時、可動体は入賞口からの入賞をし難くする閉止位置に移動される。
【００１７】
ここで、不正行為として、例えば、糸付の遊技球を操って入賞口へ入賞させ、球検出センサの上下流の通路間を往復させることで、球検出センサで球検出回数を増やし、不正に利益を得ようする行為がある。
【００１８】
そこで、このような不正を回避するため、駆動手段が通電されていないとき（すなわち、可動体が閉止位置にあるべきとき）は、球検出センサでの遊技球の検出を無効とすることで（球検出無効化手段）、不正な球検出回数の増加を回避することができる。
【００１９】
ところで、その一方で、球検出センサの状態を、定期的又は不定期に検査する場合がある。この検査工程では、少なくとも検査者が遊技球を入賞口へ手挿入しているため、結果として不正行為と同等の動作となり得る。
【００２０】
そこで、球検出センサの検査工程に連動して、必然的に物理的動作を伴う部材の動作状態を検出する状態検出センサを設け、解除手段では、状態検出センサの出力信号が、検査工程に連動した動作状態を検出したときに発する動作信号である場合に、球検出無効化手段の機能を解除するようにした。
【００２１】
これにより、不正行為と検査行為とを確実に分離することができ、不正を監視する制御システム自体を解除することなく、迅速に検査することができる。
【００２３】
検査者が前記入賞口へ遊技球を手挿入するときに障害となる部材を取り外す又は開放する動作は、検査工程において必然的に物理的動作を伴う部材の動作に相当するということできる。
【００２４】
そこで、球検出センサの検査工程において、検査者が前記入賞口へ遊技球を手挿入するときに障害となる部材が取り外された又は開放された状態を検出することで、動作信号を出力する
また、本発明において、前記状態検出センサが、遊技機の前面に設けられ、遊技盤を保護すると共に、遊技者と遊技盤との間を仕切るガラス扉の開閉状態を検出することで、前記動作信号を出力することを特徴としている。
【００２５】
遊技盤を保護すると共に、遊技者と遊技盤との間を仕切るガラス扉を開放する動作は、検査工程において必然的に物理的動作を伴う部材の動作に相当するということできる。
【００２６】
そこで、球検出センサの検査工程において、遊技盤を保護すると共に、遊技者と遊技盤との間を仕切るガラス扉の開閉状態を検出することで、動作信号を出力する。
【００２７】
さらに、本発明において、遊技球が遊技盤の表面に沿って、釘及び風車を含む障害物に当接しながら落下する領域に設けられ、入賞口から遊技球が入賞することで遊技の進行に変化をもたらす遊技機であって、前記入賞口が設けられると共に入賞した遊技球の案内路を形成する入賞案内部材と、前記案内路を通過する遊技球を検出する球検出センサと、前記入賞口からの遊技球の入賞をし易くする開放位置及び前記入賞口からの遊技球の入賞をし難くする閉止位置に移動可能な可動体と、通電時に前記可動体を前記開放位置へ移動させ、非通電時に前記可動体を前記閉止位置へ移動させる駆動手段とを備えた役物装置と、前記駆動手段が非通電の状態では、前記球検出センサでの遊技球の検出を無効とする球検出無効化手段と、前記駆動手段の非通電状態で前記可動体の開放を検出する状態検出センサと、前記状態検出センサの出力信号が、前記駆動手段の非通電状態で前記可動体の開放を検出したときに発する動作信号である場合に、前記球検出無効化手段の機能を解除する解除手段と、を有している。
【００２８】
駆動手段の非通電状態で可動体の開放を検出する動作は、検査工程において必然的に物理的動作を伴う部材の動作に相当するということできる。
【００２９】
そこで、球検出センサの検査工程において、駆動手段の非通電状態で前記可動体の開放を検出することで、動作信号を出力する。
【００３０】
本発明は、遊技球が遊技盤の表面に沿って、釘及び風車を含む障害物に当接しながら落下する領域に設けられ、入賞口から遊技球が入賞することで遊技の進行に変化をもたらす遊技機であって、前記入賞口が前記遊技盤の表面から突出しないように前記遊技盤に収容され、当該入賞した遊技球の案内路を形成する入賞案内部材と、前記案内路を通過する遊技球を検出する球検出センサと、前記入賞案内部材における前記入賞口の開口端近傍に設けられ、少なくとも、前記遊技盤の表面から突出する第１の位置及び前記遊技盤の表面から突出しない第２の位置に移動可能な可動体と、通電時に前記可動体を前記第１の位置へ移動させ、非通電時に前記可動体を前記第２の位置へ移動させる駆動手段と、前記入賞口と対面し前記遊技球が通過可能な隙間に相当する距離だけ離れた位置に着脱又は開閉可能に配置されたカバー部材と、前記カバー部材の着脱状態又は開閉状態を検出する状態検出センサとを備えた役物装置と、前記駆動手段が非通電の状態では、前記球検出センサでの遊技球の検出を無効とする球検出無効化手段と、前記状態検出センサの出力信号が、前記カバー部材の取り外し中又は開放中を示す信号である場合に、前記球検出無効化手段の機能を解除する解除手段と、を有している。
【００３１】
本発明によれば、役物装置に設けられた可動体は、駆動手段の通電状態で動作する。すなわち、駆動手段の通電時、可動体は入賞口からの入賞をし易くする位置である遊技盤の表面から突出する第１の位置に移動される。一方、駆動手段の非通電時、可動体は入賞口からの入賞をし難くする位置である遊技盤の表面から突出しない第２の位置に移動される。
【００３２】
ここで、不正行為として、例えば、糸付の遊技球を操って入賞口へ入賞させ、球検出センサの上下流の通路間を往復させることで、球検出センサで球検出回数を増やし、不正に利益を得ようする行為がある。
【００３３】
そこで、このような不正を回避するため、駆動手段が通電されていないとき（すなわち、可動体が第２の位置にあるべきとき）は、球検出センサでの遊技球の検出を無効とすることで（球検出無効化手段）、不正な球検出回数の増加を回避することができる。
【００３４】
ところで、その一方で、球検出センサの状態を、定期的又は不定期に検査する場合がある。この検査工程では、少なくとも検査者が遊技球を入賞口へ手挿入しているため、結果として不正行為と同等の動作となり得る。また、入賞口への手挿入の際、カバー部材が装着されている状態では、入賞口とカバー部材との間が遊技球の直径（例えば、１１ｍｍ）程度しか隙間がないため、検査者は手挿入し難い。
【００３５】
そこで、カバー部材を取り外し又は開放することになるが、このカバー部材の取り外し又は開放を状態検出センサで検出する。解除手段では、状態検出センサの出力信号が、カバー部材を取り外し又は開放状態を検出したときに発する動作信号である場合に、球検出無効化手段の機能を解除するようにした。
【００３６】
これにより、不正行為と検査行為とを確実に分離することができ、不正を監視する制御システム自体を解除することなく、迅速に検査することができる。
【００３７】
本発明において、前記カバー部材は、前記取り付け状態又は閉止状態で、前記入賞口、並びに前記可動体動作状態を遊技者から見にくくする隠蔽機能と、遊技者の視線で見える面に施された画像による装飾機能とを備えることを特徴としている。
【００３８】
カバー部材は、その隠蔽機能と装飾機能により、遊技球の同一の流動経路であっても入賞するか否かがわかり難くなり（隠蔽機能）、かつ入賞口が存在することを強調する画像を表示（シール等の貼り付けを含む）することで入賞への期待感を増すことができる（装飾効果）。
【００３９】
従って、可動体が突出、引き込む構成の役物装置においては、カバー部材は欠くことができない必須の部品であるということができる。
【発明の効果】
【００４０】
以上説明した如く本発明では、遊技の進行に応じた適正な動作以外による開放では入賞自体が無効となる球検出センサの検出状態を検査する場合に、不正を監視する制御システム自体を解除することなく、迅速に検査することができるという優れた効果を有する。
【図面の簡単な説明】
【００４１】
【図１】本実施の形態に係るパチンコ機の正面図である。
【図２】本実施の形態に係る遊技盤の正面図である。
【図３】本実施の形態に係るパチンコ機の制御ブロック図である。
【図４】本実施の形態に係る特図Ｂ始動入賞口の分解斜視図（パターンＡ）である。
【図５】本実施の形態に係る特図Ｂ始動入賞口を図４のパターンＡで分解した状態での側面図である。
【図６】本実施の形態に係る特図Ｂ始動入賞口の分解斜視図（パターンＢ）である。
【図７】本実施の形態に係る特図Ｂ始動入賞口における遊技盤面より前側に突出した部分の上面図である。
【図８】本実施の形態に係る監視部の機能ブロック図である。
【図９】本実施の形態に係る監視部における動作状態を示すタイミングチャートである。
【発明を実施するための形態】
【００４２】
（パチンコ機の構成）
図１に示されるように、パチンコ機１０の前面下部には、化粧パネルとなる下飾り１２が取り付けられている。
【００４３】
また、パチンコ機１０の下飾り１２の上部には、互いに平行、かつ奥行き方向に所定の間隔をおいて配置された一対のガラス板１４を装着したガラス枠１６が配置されており、ガラス枠１６は左側端部が軸支されて開閉可能に取り付けられている。このガラス枠１６の奥側には、着脱交換可能な遊技盤１８（図２参照）がセットされており、遊技盤１８は、ガラス枠１６で閉塞された状態でガラス板１４に対向するようになっている。
【００４４】
ガラス枠１６の下部には、一体皿２４が配置されている。一体皿２４の図１の右端部には、鍵穴２７が設けられ、この鍵穴２７にキーを差し込み、左右の内、一方に回すとガラス枠１６が開放し、他方に回すとパチンコ機１０の左側端部が軸支された内枠（図示せず）が開放する。
【００４５】
一体皿２４には、上皿部２８と、下皿部３０とが設けられている。上皿部２８を形成する周縁壁部３２には、上皿球抜きレバー３４が設けられ、この上皿球抜きレバー３４を操作することで、上皿部２８に貯留された遊技球ＰＢを下皿部３０へ送り出すことができるようになっている。また、下皿部３０には、下皿球抜きボタン３６が設けられ、この下皿球抜きボタン３６を操作することで、下皿部３０に貯留された遊技球ＰＢを外部（例えば、所謂「ドル箱」）へ排出することができるようになっている。
【００４６】
上皿部２８の周縁壁部３２における図１の右端部には、例えば、図示しない球貸し機（所謂「サンド」）と連動して球を貸し出したり、貯球カード等を返却する機能を持つ、球貸ボタン４２と、返却ボタン４４が設けられている。
【００４７】
また、一体皿２４の右側下部には打球の発射力（飛距離）を調整するためのグリップユニット（発射ハンドル）２６が取り付けられ、左側下部には、灰皿４６が取り付けられている。
【００４８】
一体皿２４における下皿部３０の図１の右側には受け皿スピーカ６０Ｕが配置されている。なお、この受け皿スピーカ６０Ｕは、低音用スピーカである構成される場合がある。
【００４９】
ここで、一体皿２４における上皿部２８の周縁壁部３２には、遊技者が操作可能な操作ボタン５０が設けられている。この操作ボタン５０は、遊技中において、操作有効期間中に操作することで、演出画像に対して介入することができるようになっており、それぞれの遊技仕様によって設定される。
【００５０】
ガラス枠１６におけるガラス板１４の周囲には、遊技の進行に応じて点灯、消灯、及び点滅するアーチ状の照明による視覚的効果や、音声等のスピーカによる聴覚的効果等の演出効果を生み出す上部演出部５２が配置されている。この上部演出部５２の下端部は、一体皿２４の周囲に略Ｕ字型に配置された下部演出部５４の上端部と連結するように配置されている。
【００５１】
この結果、上部演出部５２と下部演出部５４とで、遊技盤１８の周囲を取り囲むように、遊技機枠演出部５６が形成されている。
【００５２】
この遊技機枠演出部５６は、上部演出部５２及び下部演出部５４共に、照明部材（ＬＥＤ等）が取り付けられた基板（図示省略）と、この基板を覆うように、所定の意匠で形成されたレンズカバー５８が取り付けられている。
【００５３】
レンズカバー５８は、前記照明部材が点灯する領域を区画するよう凹凸状にカットされており、区画された領域毎に照明部材の点灯制御がなされる。なお、照明部材は基本的にＲ（赤色）、Ｇ（緑色）、Ｂ（青色）の３色に点灯するＬＥＤが１組となっており、それぞれの点灯時の光量比により、様々な配色の点灯が可能となっている。
【００５４】
また、前記上部演出部５２における、ガラス枠１６の上部円弧の約１／３に相当する領域の中央及び両端には、ガラス枠スピーカ６０Ｃ、６０Ｌ、６０Ｒが内蔵され、照明と同時に、音声を出力する。なお、スピーカ６０Ｃ、６０Ｌ、６０Ｒは、中高音用のスピーカで構成される場合がある。
【００５５】
なお、以下では、前述した受け皿スピーカ６０Ｕと、このガラス枠スピーカ６０Ｃ、６０Ｌ、６０Ｒを総称して、「スピーカ６０」という。
【００５６】
（エラー報知機能）
さらに、ガラス枠１６の上部２箇所の角部には、エラーランプとして機能する細長状の共用表示部６２が設けられている。この共用表示部６２は、視覚効果として演出に使われる場合もあるが、基本的には、遊技中に発生した遊技者の不正行為など遊技機の外部要因にからむエラーの内容を色の変化で報知するエラー報知用表示部とされ、エラー発生時には演出を中断してエラー状態を報知する。
【００５７】
遊技中に発生したエラーとは、遊技盤１８面近傍で磁力を検出した場合、遊技盤１８に振動が起きた場合、ガラス枠１６等が開放した場合、遊技中の遊技球ＰＢの不正な入賞があった場合等が挙げられる。
【００５８】
遊技盤１８面近傍の磁力は、予め遊技盤１８に取り付けられた磁気センサ６４（図２参照）によって検出する。また、遊技盤１８の振動は、予め遊技盤１８に取り付けられた振動センサ６６（図２参照）によって検出する。
【００５９】
ガラス枠１６等の開放は、予め取り付けられた開放検出センサ６８によって検出する。
【００６０】
遊技球ＰＢの不正入賞は、遊技の進行状態と、各入賞口等の近傍に設けられて遊技球ＰＢの入賞や通過を検出する入賞センサ（詳細後述）からの信号に基づいて主制御部等で判断する。
【００６１】
磁気センサ６４及び振動センサ６６は、遊技盤１８において、重要部位の近傍に取り付けられるようになっており、本実施の形態では、少なくとも、図２に示される如く、後述する特図Ａ始動入賞口１０８Ａの裏面側に取り付けられている。なお、磁気センサ６４は、この特図Ａ始動入賞口１０８Ａの近傍のみである必要はなく、その他、特図Ｂ始動入賞口１０８Ｂや大入賞口１１０等に取り付けてもよいし、遊技盤１８の領域内で複数個配置するようにしてもよい（例えば、図２の「鎖線円（６４）」で囲んだ領域）。また、磁気センサ６４においては、遊技盤１８に適用されるモータやソレノイドの磁力の影響を受けない位置とする必要がある。
【００６２】
（遊技盤の構成）
以下に遊技盤１８の構成を説明するが、本発明の主旨からすれば、当該遊技盤１８の構成に限定されるものではない。言い換えれば、本願発明は、所謂一種、二種、三種という遊技仕様のカテゴリーも限定されるものではない。
【００６３】
図２に示される遊技盤１８は、基板となるベニヤ板に樹脂製シート状化粧材であるセルが貼着されてそのセルの表面が盤面となっており、盤面の外周端部付近に、円弧状の外レール１０２及び内レール１０４が取り付けられている。これらの外レール１０２及び内レール１０４によって囲まれた円形状の領域は、発射装置（図示省略）から発射されて打ち込まれた遊技球ＰＢが複数の釘２１や風車２３、或いは役物等により弾かれながら自重落下により移動可能な遊技領域１９を構成している。
【００６４】
遊技盤１８のほぼ中央には、センター役物１０５が配置されている。センター役物１０５は、大きく分類して、当該センター役物１０５内に流入した遊技球ＰＢを案内する案内流路筐体１１１と、センター役物１０５の中央部の空間で立体的な動作を行い、かつＬＥＤで構成された表示盤１０６を備えた可動体役物１１３と、を備えている。
【００６５】
案内流路筐体１１１では、センター役物１０５の上部に設けられた羽根部材２５０が開放したときに、この羽根部材２５０の開放によってできた開口から流入する遊技球ＰＢをセンター役物１０５の図２に向かって左端を通過させ、案内流路筐体１１１の下部に配置された振分回転盤２５２まで案内する。
【００６６】
振分回転盤２５２では、外周に設けられた複数個（本実施の形態では、９個）の収容溝の何れかに遊技球ＰＢを収容し、当該収容箇所により定められたルートに従って、当たり／外れ決定領域２５４へ案内する。
【００６７】
当たり／外れ決定領域２５４には、振り子の如く、所定の角度を往復回転している特定領域案内部２５６が設けられ、振分回転盤５２から落下する遊技球ＰＢがタイミング良く、この特定領域案内部２５６の収容溝に入ると、図示しない特定領域(Ｖゾーン)に案内され特別遊技状態(Ｖ入賞)となる構成である。
【００６８】
前記可動体役物１１３は、主として演出に適用されるものであり、センター役物１０５の中央部の空間内で、上下の移動、左右の傾動等が機械的動作で実行されると共に、表示盤１０６では特別図柄による抽選の結果を図柄の変動演出によって報知する。
【００６９】
表示盤１０６は、複数のＬＥＤ素子がマトリクス状に配列されて構成され、ＬＣＤとは異なる、独特の演出表示がなされるようになっている。なお、表示盤１０６はＬＥＤ素子による演出表示にかえて、ＬＣＤによる演出表示を行うようにしてもよい。
【００７０】
前記遊技領域１９におけるセンター役物１０５に向かって左側には、前述した釘２１や風車２３に混じって特図Ａ始動入賞口１０８Ａが設けられている。
【００７１】
また、前記遊技領域１９におけるセンター役物１０５に向かって右側には、通過ゲート（スルーチャッカー）１０７が設けられている。前記通過ゲート１０７を遊技球ＰＢが通過すると、普通電動役物の開閉を抽選するための普通図柄（普図）抽選が実行される。
【００７２】
前記遊技領域１９における前記通過ゲート１０７の下方には、特図Ｂ始動入賞口１０８Ｂが設けられている。
【００７３】
特図Ａ始動入賞口１０８Ａは、所謂入賞役物装置であり、落下してくる遊技球ＰＢを受け入れる入賞開口部が上を向いている固定式始動入賞口である。
【００７４】
特図Ｂ始動入賞口１０８Ｂは、入賞役物装置の一部であるが特図Ａ始動入賞口１０８Ａとは構造が異なっている。
【００７５】
すなわち、入賞開口が前（遊技者と対向する方向）を向いており、入賞可否を決める舌状可動片３００（可動体）が遊技盤面から出没する構造となっている可動式始動入賞口である。この舌状可動片３００が突出位置（第１の位置）にあるときのみ、入賞可能となっている。すなわち、この舌状可動片３００が突出したとき（第１の位置のとき）は、上方から落下する遊技球ＰＢを入賞口へ案内し（入賞）、舌状可動片が待避したとき（第２の位置のとき）は上方から落下する遊技球ＰＢを下方へ通過（スルー）させる（非入賞）。
【００７６】
以下、特図Ａ始動入賞口１０８Ａ及び特図Ｂ始動入賞口１０８Ｂは、機能的は同一であり、遊技球ＰＢの入賞が、特別図柄（特図）の抽選を行うためのトリガ(条件)となる。
【００７７】
ここで、特図Ｂ始動入賞口１０８Ｂにおいては、当該特図Ｂ始動入賞口１０８Ｂに入賞しても特別図柄（特図）の抽選に対する演出表示を実行することができない場合（例えば、特別図柄抽選に対する演出表示の実行中等）には、最大４個まで入賞を保留（特別図柄抽選に対する抽選結果を保留記憶）することが可能となっている。なお、保留記憶球数は所定の上限値まで可能であり、４個に限定されるものではない。
【００７８】
特図Ｂ始動入賞口１０８Ｂのさらに下部には、大入賞口１１０が設けられている。また、センター役物１０５の下方には、アウト口１１２が設けられている。
【００７９】
ここで、本実施の形態では、特図Ａ始動入賞口１０８Ａ及び特図Ｂ始動入賞口１０８Ｂへの入賞とトリガとする前記特別図柄抽選で当選した場合、センター役物１０５の羽根部材２５０が開放し、当該開放期間に遊技球ＰＢがセンター役物１０５内に入り、前述のＶ入賞することを条件に、特別遊技状態（当り遊技）の処理が実行される。
【００８０】
（特図Ｂ始動入賞口１０８Ｂの詳細構造）
前述のように特図Ｂ始動入賞口１０８Ｂは、特図Ａ始動入賞口１０８Ａのように入賞開口が上を向き、常に遊技球ＰＢを受け入れる構造ではなく、入賞開口端部３０２が前面（パチンコ機１０に対峙して着座している遊技者の方向）を向いているため、通常は遊技球ＰＢは入賞することができないものとなっている。
【００８１】
一方、舌状可動片３００が突出することで、この舌状可動片３００によって落下してくる遊技球ＰＢを受け止め、前を向いた入賞開口端部３０２に案内する。
【００８２】
以下、図４、図５に従い、特図Ｂ始動入賞口１０８Ｂの構造を説明する。
【００８３】
特図Ｂ始動入賞口１０８Ｂは、遊技盤１９に設けられた貫通孔（図示省略）に収容されるベース部３０４が主体となって構成されており、その前方（遊技盤１９側）にカバー部材３０６が配置され、後方に駆動ユニット３０８が取り付けられている。
【００８４】
ベース部３０４は、鍔状のフランジ部３１０が形成され、ベース部３０４が前記遊技盤１９の貫通孔（図示省略）に確実に収容されることで、フランジ部３１０の裏面が遊技盤１９の表面に密着する。この状態で、ベース部３０４に形成された遊技盤固定用ネジ孔３１１に、遊技盤１９の表面側からビス３１３等を螺合することで、ベース部３０４は遊技盤１９に固定される。ベース部３０４におけるフランジ部３１０の中央には、ベース部３０４の裏面側に一体形成された矩形筒状の入賞案内部３１４の入賞開口端部３０２が形成されている。
【００８５】
ベース部３０４表面側のフランジ部３１０からは、左右対称に一対の雌側突起部３１６が形成されている。雌側突起部には、円孔３１８が形成されている。
【００８６】
一方、このベース部３０４の前方には、前記カバー部材３０６が設けられている。
【００８７】
図７に示される如く、カバー部材３０６は、略逆三角形状の装飾プレート部３５０と、この装飾プレート部３５０の裏面側に設けられた一対のベースプレート部３５２と、を備えている。
【００８８】
前記一対の雄側突起部３２０のピッチ寸法と、前記一対の雌側突起部３１６のピッチ寸法とは同一であり、一対の雄側突起部３２０が一対の雌側突起部３１６の円孔３１８に挿入され、ビス３２２等で螺合されることで、ベースプレート部３５２、ひいてはカバー部材３０６が、ベース部材３０４に固定される。
【００８９】
ここで、一対のベースプレート部３５２の内、一方は蝶番を構成する。このため、カバー部材３０６の装飾プレート部３０６は、蝶番の軸を中心に回転可能となる（図７（Ａ）の矢印Ｘ参照）。
【００９０】
また、一対のベースプレート部３５２の内、他方は爪部３５４により係合可能な２枚の板材で形成されている。
【００９１】
このため、装飾プレート部３０６が遊技盤１８と平行となる位置に回転されると爪部３５４が２枚の板材が係合し保持されると共に（図７（Ａ）の実線状態参照）、この爪部３５４との係合を解除することで、装飾プレート部３０６を、蝶番の軸を中心に回転させ、入賞開口端を露出させることができる（図７（Ｂ）の状態参照）。
【００９２】
また、前記雌側突起部３０２の側面には、投光部と受光部とを備えたフォトセンサ（状態検出センサ）３５６が取り付けられている。このフォトセンサ３５６における投光部と受光部が設けられた検出面は、閉止されているときの装飾プレート部３０６の裏面の一部と対向しており、装飾プレート部３０６が閉止されているとき（図７（Ａ）の実線状態）は投光部から発した光が反射して受光部で受光され、装飾プレート部３０６が開放されているとき（図７（Ｂ）の状態）は投光部から発した光が受光部に到達しない。このため、フォトセンサ３５６の出力は、装飾プレート３０６の開放状態と閉止状態とで異なる信号となる。例えば、装飾プレート３０６の開放状態でハイレベル信号（例えば、３．３〜５．０Ｖ）となり、閉止状態でローレベル信号（例えば、０Ｖ）となる。
【００９３】
カバー部材３０６には、その表面にシール等が貼り付けられ、自身が装飾機能を有し、かつベース部３０４を隠蔽機能を有している。また、カバー部材３０６の中央には、表示レンズ部３０６Ａが設けられ、通過する遊技球ＰＢの視認性を確保するために透明な窓部としての役割を有するとともに、必要に応じてベース部３０４等の入賞役物装置に取り付けられた図示しない光源の発光により遊技者に向けて視覚を通じて、情報を告知（例えば、発光することで舌状可動片３００の突出を報知）するようになっている。
さらに、表示レンズ部３０６Ａは遊技球ＰＢの通路幅を規制するためにベース部材３０４側に突出し、流下する遊技球ＰＢをベース部材３０４側に誘導する誘導部材としての役割も備えているものである。
【００９４】
遊技球ＰＢは、この特図Ｂ始動入賞口１０８Ｂの内部（ベース部材３０４とカバー部材３０６との間）を流下するときは、他の遊技盤１９面を落下するよりも、ベース部材３０４とカバー部材３０６との間で設定された間隔によって奥行き方向の移動が制限される。
【００９５】
前記ベース部３０４の入賞案内部３１４には、可動体としての舌状可動片３００と、庇部３２４とが、互いに上下関係の位置、かつ互いに平行に配置されている。
【００９６】
舌状可動片３００は入賞案内部３１４の床面に沿って配置され、庇部３２４は入賞案内部３１４の天井面にそって配置されている。また、舌状可動片３００及び庇部３２４は、それぞれ入賞案内部３１４に形成されたレール（図示省略）に案内され、遊技盤１９の厚み方向に摺動するようになっている。
【００９７】
また、この入賞案内部３１４の後端側開口には、特図Ｂ始動入賞口センサ２６４Ｂが配置され、入賞開口端部３０２から入賞した遊技球ＰＢは、この特図Ｂ始動入賞口センサ２６４Ｂの検出領域（円孔）を通過するようになっている。
【００９８】
庇部３２４の後方には、駆動ユニット３０８の一部を構成するソレノイド３２６のプランジャ３２６Ａが配置されている。プランジャ３２６Ａには、圧縮方向に作用する円錐型の圧縮コイルばね３２６Ｂが取り付けられ、ソレノイド本体３２６Ｃの非駆動時（非通電時）では、この圧縮コイルばね３２６Ｂの付勢力により、突出状態とされ、この結果、庇部３２４を前方向へ押し出している。なお、プランジャ３２６Ａに取り付けられるコイルばねは圧縮コイルばねに限られるものではない。
【００９９】
庇部３２４と舌状可動片３００とは、矩形枠形状のシーソー部材３２８の回転中心を境とする両端部にそれぞれ回転可能に連結されている。従って、庇部３２４が前方向(遊技盤表面側)へ押されると、舌状可動片３００がこれに反して、引き込まれる構造となっている。なお、庇部３２４の押し出し量と、舌状可動片の引き込み量とは、前記矩形枠形状のシーソー部材３２８の回転中心から両端部までの距離の比により設定される。本実施の形態では、庇部３２４の移動量を１とすると、舌状可動片３００の移動量は２〜５程度である。
【０１００】
なお、遊技盤の表面から突出した舌状可動片３００の先端(押し出し方向)を第１の位置とし、遊技盤の表面から突出しない舌状可動片３００の先端(引き込み方向)を第２の位置とする。また、庇部３２４の押し出し方向先端を第３の位置とし、引き込み方向先端を第４の位置とする。
【０１０１】
舌状可動片３００と庇部３２４は、前記シーソー部材によって連結された状態で、案内部カバー３３０により、入賞案内部３１４に収容された状態で保持される。案内部カバー３３０には貫通孔３３０Ａが設けられ、前記プランジャ３２６Ａが、案内部カバー３３０の裏面側に取り付けられる駆動ユニット３０８のソレノイド本体３２６Ｃの摺動貫通孔に収容されるようになっている。
【０１０２】
なお、駆動ユニット３０８はソレノイド３２６を支持するブラケット３３２を備えており、このブラケット３３２は、前記案内カバー３３０の背面側にビス３３４等により取り付けられている。
【０１０３】
図６に示される如く、舌状可動片３００は薄板状で若干凸面状に形成されているため、遊技球ＰＢの重心位置に基づいて、遊技球ＰＢが舌状可動片３００に落下すると、入賞開口端部３０２へ入賞するように移動し、或いは両サイドから入賞しないように移動することになる。言い換えれば、舌状可動片３００の移動は、その凸面形状の頂点の位置によって、遊技球ＰＢを入賞開口端部３０２へ入賞させるか否かを判断（設計）すればよい。
【０１０４】
本実施の形態では、舌状可動片３００が第１の位置にいるときのみ、凸面状の頂点が落下してくる遊技球ＰＢの中心よりも遊技盤１９の厚み方向前側に位置するようにし、舌状可動片３００の移動による特図Ｂ始動入賞口１０８Ｂの入賞率を定めている。
【０１０５】
前記庇部３２４は、この舌状可動片３００が第１の位置にあるとき、第４の位置にあるため、遊技球ＰＢの入賞開口端部３０２への入賞に何ら影響を与えない。一方、舌状可動片３００が引き込みを開始すると、庇部３２４は第３の位置へ移動し始め、この移動直後から、庇部３２４は入賞開口端部３０２へ入賞する遊技球ＰＢの流入軌跡上に位置するため、遊技球ＰＢは入賞できない状態となる。
【０１０６】
すなわち、庇部３２４は、舌状可動片３００の突出・引込動作に連動し、遊技球ＰＢの入賞の可否を補助する入賞規制部材としての役目を有することになる。
（制御系の構成）
次に、図３を用いてパチンコ機１０の制御系について説明する。なお、以下の図３に基づく説明の中で、図３に示されていない部材は、図２に基づいて説明した部材である。
【０１０７】
図３に示されるように、本実施の形態に係るパチンコ機１０の制御系は、主制御部１５０を中心として構成されており、この主制御部１５０には、演出制御部１５２と払出制御部１５４とが接続されている。主制御部１５０には、遊技に関する基本的なプログラムが記憶されており、この主制御部１５０からの命令信号に基づいて、各部の動作が制御されるようになっている。
【０１０８】
主制御部１５０からは盤用外部端子１９０を介して遊技店に設置されるホールコンピュータ（図示省略）へ遊技の進行状態を示す情報（始動入賞信号や大当たり信号、図柄確定回数信号）が送信される。
【０１０９】
主制御部１５０には、通過ゲート１０７を通過する遊技球ＰＢを検出する通過ゲートセンサ２６２、特図Ａ始動入賞口１０８Ａへの入賞球を検出する特図Ａ始動口センサ２６４Ａ、特図Ｂ始動入賞口１０８Ｂへの入賞球を検出する特図Ｂ始動口センサ２６４Ｂ、特別遊技状態の際に開放する大入賞口１１０への入賞球を検出する大入賞口センサ２６６が接続されている。
【０１１０】
また、主制御部１５０には、羽根部材２５０の開放時にセンター役物１０５内へ流入する遊技球ＰＢを検出する受入センサ２６８、特定領域に入賞した遊技球ＰＢを検出する特定領域入賞センサ２７０、特定領域に入賞しなかった遊技球ＰＢを検出する外れセンサ２７２がそれぞれ接続されており、これらの各センサは、入賞球の検出時にその検出信号を主制御部１５０へ出力する。
【０１１１】
さらに、遊技の進行に関わるものではないが、エラー検知システムに関する部材として、主制御部１５０には、磁石センサ６４、振動センサ６６及び開放検出センサ６８が接続されている。
【０１１２】
また、主制御部１５０には、出力系として、特図Ｂ始動入賞口１０８Ｂに設けられた舌状可動片３００と庇部３２４（図４参照）を遊技盤１８面に対して出没させるための舌状可動片ソレノイド２５７（庇部３２４は舌状可動片３００の移動に連動する）、センター役物１０５に設けられた案内流路筐体１１１に用いられる第１の駆動系２５８が接続されている。
【０１１３】
演出制御部１５２には、図柄制御部１５６を介して可動体役物１１３の一部を構成する表示盤１０６が接続されている。また、演出制御部１５２は、パチンコ機１０の各種遊技部品に設けられた照明演出用の発光素子１２６（遊技機枠演出部５６や、共用表示部６２等の照明用）の点灯、消灯、及び点滅を制御し、さらに、スピーカ６０を作動させて効果音等の出力を制御する。
【０１１４】
この演出制御部１５２に制御される表示盤１０６にはドットマトリクスパターンの演出映像が表示され、スピーカ６０からはその演出時の音声やＢＧＭが出力される。これにより、遊技者は、視覚及び聴覚を通じて、遊技球の挙動にともなう演出を楽しむことができる。
【０１１５】
また、演出制御部１５２には、入力系として操作ボタン５０が接続され、出力系として可動体役物１１３に用いられる第２の駆動系２６０が接続されている。
【０１１６】
また、払出制御部１５４には、払出装置１６０及び発射制御部１６４が接続され、発射制御部１６４には発射装置４０が接続されている。この払出制御部１５４は、パチンコ機１０内に設けられた払出装置１６０を作動させて、賞球又は貸し球の払い出し及び停止動作と払出数を制御する。また、発射制御部１６４は、遊技者によるグリップユニット２６（図１参照）の操作により発射装置４０を作動させて、遊技球ＰＢの発射開始、及び、グリップユニット２６の操作量に応じた発射力を制御する。
【０１１７】
さらに、払出制御部１５４では、枠用外部端子１９１を介して払出情報を遊技店に設置されたホールコンピュータ（図示省略）へ送信するようになっている。
【０１１８】
ここで、本実施の形態では、遊技の進行において行われる可能性のある不正行為を監視するシステムを備えている。この監視制御では、前述した磁気センサ６４、振動センサ６６、開放検出センサ６８からの信号の状態や、各種入賞センサ（特図Ａ始動入賞口センサ２６４Ａ、特図Ｂ始動入賞口センサ２６４Ｂ等を含む全ての入賞センサ）からの信号の状態を監視し、不正があった、或いは不正の可能性のある状態を判別し、例えば、共用表示部６２等を用いて報知するようになっている。
【０１１９】
また、監視制御は、不正行為の認定とは別に、不正行為を未然に防止する機能を備えている。すなわち、可動部材が通電しないと入賞があり得ない入賞口への入賞を無効とする機能である。
【０１２０】
このような監視制御を実行するシステムとして、本実施の形態では、主制御部１５０に監視部３６０を設けており、図８は、この監視部３６０における制御を機能別に示したブロック図である。なお、このブロック図は、監視部３６０を機能的に分類したものであり、ハード構成を限定するものではない。
【０１２１】
図８に示される如く、主制御部１５０には、主として、遊技の進行全般の制御を司る遊技実行制御部３６２が備えられ、監視部３６０は、この遊技実行制御部３６２から種々の信号を受信するようになっている。
【０１２２】
（不正行為判定機能）
監視部３６０には、情報解析部３６４が設けられ、前記磁石センサ６４、振動センサ６６、開放検出センサ６８（それぞれ、図３参照）からの信号が入力されるようになっている。
【０１２３】
情報解析部３６４には、判定基準情報読出部３６６及び不正判定部３６８が接続されており、情報が解析されると、判定基準情報読出部３６６には解析終了信号が送出され、不正判定部３６８には、解析された情報が送出されるようになっている。
【０１２４】
判定基準情報読出部３６６には、判定基準情報記憶部３７０が接続されている。この判定基準情報読出部３６６に前記解析終了信号が入力されると、前記判定基準情報記憶部３７０から判定基準情報を読み出し、前記不正判定部３６８へ送出する。
【０１２５】
不正判定部３６８では、情報解析部３６４から受けた解析情報と、判定基準情報読出部３６６から受けた判定基準情報とを比較して、不正が実行されているか否かを判定する。
【０１２６】
不正判定部３６８は、不正報知指示部３７２と接続されている。不正報知指示部３７２は、不正判定部３６８から不正が実行されている旨の情報を受信すると、盤用外部端子１９０及び演出制御部１５２に対して、不正報知を指示する。
【０１２７】
これにより、盤用外部端子１９０からはホールコンピュータへ不正の実行が報知され、演出制御部１５２では、スピーカ６０、共用表示部６２を用いて、聴覚、視覚を通じて当該パチンコ機１０で不正が行われていることを報知する。また、図柄制御部１５６を介して表示盤１０６にも不正行為があったことを表示する。
【０１２８】
（不正行為判定解除機能）
前記遊技実行制御部３６２は、前記情報解析部３６４に接続されている他に、検出信号無効判定部３７４に接続されている。
【０１２９】
無効判定部３７４には、必然的に物理的動作を伴わないと入賞しない役物（可動部への通電がないと入賞し得ない、或いは、入賞し難い役物）から信号が入力されるようになっており、本実施の形態では、特図Ｂ始動入賞口１０８Ｂに特化して説明するが、本発明は、必然的に物理的動作を伴わないと入賞しない役物として、特図Ｂ始動入賞口１０８Ｂに限定されるものではない。なお、可動部への通電がないと入賞し得ない、或いは、入賞し難い役物としては、本実施の形態の遊技盤１８では、大入賞口１１０が該当し、本実施の形態に適用した遊技盤以外では、電動チューリップ等が該当する。
【０１３０】
図８に示される如く、検出信号無効判定部３７４には、遊技実行制御部３６２から舌片ソレノイド２５７（図３参照）から駆動指示信号（通電信号に相当する）、特図Ｂ始動入賞口センサ２６４Ｂ（図３参照）からの検出信号が入力されるようになっている。
【０１３１】
検出信号無効判定部３７４では、舌片ソレノイド駆動信号がローレベル信号（非通電を示す信号）である期間は、センサ検出信号ブランク期間としている。従って、このブランク期間中に特図Ｂ始動入賞口センサ２６４Ｂからの検出信号が入力された場合、仮無効指示信号を出力する。
【０１３２】
ここで、従来の検出信号無効判定部３７４では、仮無効信号ではなく、本無効信号として、直接、遊技実行制御部３６２へフィードバックしていた。このため、遊技実行制御部３６２では、特図Ｂ始動入賞センサ２６４Ｂの信号に基づく、賞球等をキャンセルするようにしていた。
【０１３３】
これに対して本実施の形態では、検出信号無効判定部３７４から出力される無効指示信号を仮無効指示信号として、無効解除部３７６に送出している。
【０１３４】
この無効解除部３７６には、フォトセンサ３５６（図３参照）の検出信号（フォトセンサ検出信号）が入力されるようになっている。このフォトセンサ検出信号が、前記カバー部材３０６（図６参照）を蝶番の軸を中心に開放されていることを示す信号（ハイレベル信号）を出力している場合は、特図Ｂ始動入賞口センサ２６４Ｂの動作状態の検査のために、遊技球ＰＢが手挿入される時期であると判断し、仮無効指示を解除するようにしている。
【０１３５】
一方、フォトセンサ検出信号が、前記カバー部材３０６（図６参照）が閉止されていることを示す信号（ローレベル信号）を出力している場合は、前記仮無効指示を本無効信号として、遊技実行制御部３６２へ送出するようにしている。
【０１３６】
以下に本実施の形態の作用を説明する。
【０１３７】
（パチンコ機１０の遊技の流れ（一例））
パチンコ機１０による遊技では、遊技者がグリップユニット２６を操作すると、一球ずつ発射装置によって上方へ発射される。発射された遊技球ＰＢは、外レール１０２に沿って遊技盤１８の遊技領域１９に打ち込まれ、複数の遊技釘２１や風車２３に当たり方向を変えながら遊技領域１９内を落下する。そして、入賞せずに遊技領域１９の下端部に至った遊技球ＰＢはアウト口からパチンコ機１０内に回収される。
【０１３８】
また、遊技球ＰＢが遊技領域１９内に設けた入賞口に入賞したり、通過ゲートを通過すると、それぞれの遊技仕様に基づく処理（例えば、抽選等）が実行されると共に、表示盤１０６への画像表示演出、スピーカ６０を用いた音演出等が実行される。
【０１３９】
（遊技仕様の一例）
本実施の形態では、まず、遊技者はセンター役物１０５の図２の向かって左側に位置する特図Ａ始動入賞口１０８Ａを狙ってグリップユニット２６を操作し、遊技球ＰＢを発射する。
【０１４０】
なお、このとき特図Ｂ始動入賞口１０８Ｂは、通過ゲート１０７の通過によって実行される普通図柄の抽選が通常遊技状態であるため、ほとんど舌状可動片３００が突出される第１の位置になることがない状態である。
【０１４１】
特図Ａ始動入賞口１０８Ａに遊技球ＰＢが入賞すると、特図Ｂ始動入賞口１０８Ｂに入賞した場合と比較して入賞羽根部材２５０が短時間（約０．４秒／１〜２回）開放する。この開放中にセンター役物１０５内に遊技球ＰＢが流入すると、案内流路筐体１１１の案内路に案内され振分回転盤２５２（一定速度で、時計回り回転）の収容溝の何れかに収容され、図２の６時の方向、或いは、図２の３時の方向に設けられた開口から当たり／外れ決定領域２５４へ送られ、特定領域案内部２５６の収容溝に入り、特定領域(Ｖゾーン)２５６Ａに入賞（特別遊技状態：Ｖ入賞）するか否かが決まる。入賞しなければ（外れの場合は）、ここで１回の遊技の終了となり、表示盤１０６においても、外れを報知する。
【０１４２】
一方、入賞すると（当たりの場合は）、表示盤１０６で当たりが報知され、大入賞口１１０が２Ｒ開閉動作すると共に当たり遊技状態終了後には、通過ゲート１０７の通過による特図Ｂ始動入賞口１０８Ｂの舌状可動片３００の突出時間（普通図柄抽選による普通電動役物の開放延長機能実行）を延長する。この結果、特図Ｂ始動入賞口１０８Ｂへの遊技球ＰＢの入賞率が著しく高くなるため、遊技者はこの通過ゲート１０７が位置する、センター役物１０５の図２に向かって右側を狙って、グリップユニット２６を操作する。
【０１４３】
遊技球ＰＢが、通過ゲート１０７を通過し、かつ、特図Ｂ始動入賞口１０８Ｂに遊技球ＰＢが入賞すると、特別図柄抽選（当選確率１／１、開放延長機能実行状態）が実行されると共に、羽根部材２５０が特図Ａ始動入賞口１０８Ａに入賞した場合と比較して長時間（約１．６秒／１回）開放する。なお、この特図Ｂ始動入賞口１０８Ｂは、始動入賞記憶機能を持ち、最大４回分の保留記憶が可能である。
【０１４４】
上記のように比較的長時間羽根部材２５０が開放すると、遊技球ＰＢがセンター役物１０５内に流入し易くなり、特定領域への入賞もし易くなる。
【０１４５】
この特定領域への入賞を条件に、前記特別図柄抽選の当選に基づく権利を行使することができる。この権利行使は、大入賞口１１０の所定ラウンド（本実施の形態では、１５ラウンド）の開閉動作（１回の開放が３０秒、或いは最大１０個の入賞）が実行される（以下、「特別遊技処理」という）。
【０１４６】
前記特別遊技処理が終了すると、以後、所定回数（本実施の形態では、４回（第１セット時の最初の特別遊技処理は開放回数が２ラウンドとなる））の特別遊技処理が発生しやすくなる遊技状態となる（通過ゲート１０７の開放延長が継続する）。
【０１４７】
この第１セットの４回の特別遊技処理が終了すると、前記保留記憶による特別図柄抽選（当選確率１／１、開放延長機能の実行有無の振分は開放延長機能有り６０％：開放延長機能無し４０％）が実行され、再度、羽根部材２５０が比較的長時間開放し、特定領域への入賞を条件に第２セット目の特別遊技処理が実行される。この第２セット以降は、開放延長機能有りに振り分けられれば、繰り返し最大４回の特別遊技処理が実行されるが、開放延長機能が実行されない(無し)と１回の特別遊技処理後には通常遊技状態にもどるため、特図Ｂ始動入賞口１０８Ｂへの入賞が困難となり、特別遊技処理の連続動作は、終了する。
【０１４８】
（不正監視制御「不正行為判定機能」）
監視部３６０では、様々な不正行為（磁石を用いた不正、振動させる不正、糸付遊技球を用いた不正等）を監視し、不正があった場合には、共用表示部６２と、スピーカ６０Ｕ、６０Ｌ、６０Ｃ、６０Ｒを用いて報知する場合と、事前に不正行為ができないような無効操作を行う場合とがある。その中で、特図Ｂ始動入賞口センサ２６４Ｂに対する、例えば糸付遊技球を用いた不正行為に関しては、後者の事前に不正行為ができないような無効操作を行っている。
【０１４９】
この糸付遊技球を用いた不正行為は、当該糸付遊技球を入賞開口端部３０２に入賞させ、その奥に位置する特図Ｂ始動入賞口センサ２６４Ｂの上下流の間を、糸を操って行き来させる場合がある。本実施の形態の監視部３６０では、この不正行為自体を無効とするため、舌片ソレノイド２５７が非通電の場合は、特図Ｂ始動入賞口センサ２６４Ｂを遊技球ＰＢが通過しても、そのときの検出を無効とする制御システムを構築している（以下、「無効制御システム」という）。
【０１５０】
これにより、特図Ｂ始動入賞口１０８Ｂに対して、糸付遊技球による不正行為を行おうとしても、特図Ｂ始動入賞口センサ２６４Ｂの検出自体が無効となるため、不正者にとって、なんら得るものを無くすことができる（図９の仮無効信号参照）。
【０１５１】
（検査時無効解除対策「不正行為判定解除機能」）
一方で、特図Ｂ始動入賞口センサ２６４Ｂを含み、各種センサを対象として、出荷先において、定期的、或いは不定期に動作試験（検査）を行う場合がある。この場合、例えば、本実施の形態では、特図Ａ始動入賞口１０８Ａにおいては、可動体が備わっておらず、前記無効制御システムの対象ではないので、検査者が特図Ａ始動入賞口１０８Ａに遊技球ＰＢを手挿入することで、特図Ａ始動入賞口センサ２６４Ａの動作状態を検査することができる。
【０１５２】
しかしながら、特図Ｂ始動入賞口１０８Ｂにおいては、可動体（舌状可動片３００）が備わっており、前記無効制御システムの対象となっているので、検査者が特図Ｂ始動入賞口１０８Ｂに遊技球ＰＢを手挿入してもこれが無効となって、特図Ｂ始動入賞口センサ２６４Ｂの検査することができない。例えば、図９の仮無効信号に付した点Ａと点Ｂの期間での入賞が、これに相当する。
【０１５３】
さらに、特図Ｂ始動入賞口１０８Ｂに特化して言えば、入賞開口端３０２の正面がカバー部材３０６によって、遊技球ＰＢの直径程度の隙間しかないため、検査者による遊技球ＰＢの手挿入作業も煩雑となる。
【０１５４】
そこで、本実施の形態では、前記カバー部材３０６を開閉可能とし、かつこの開閉状態を検出するフォトセンサ３５６を設けた。フォトセンサ３５６は、主制御部１５０に接続され、監視部３６０に信号を送出する。
【０１５５】
ここで、監視部３６０では、舌片ソレノイド２５７が非通電のとき、通常は特図Ｂ始動入賞口１０８Ｂの入賞を無効とするが、フォトセンサ３５６でバー部材３０６の開放状態を検出している間は、当該無効を解除するようにした（図９の本無効信号参照）。
【０１５６】
この結果、カバー部材３０６を開放することによる、検査者の手挿入作業性の向上と、当該手挿入による特図Ｂ始動入賞口１０８Ｂの動作状態の検査が可能となる。すなわち、前述した図９の点Ａと点Ｂの期間では、本無効信号がオフとなっているため、この期間の入賞が有効となる。
【０１５７】
以上説明したように本実施の形態では、不正行為を未然に防止するため、特図Ｂ始動入賞口１０８Ｂのように、舌状可動片３００が舌片ソレノイド２５７の通電で突出されていないと、入賞することがあり得ない構造の場合、当該舌片ソレノイド２５７の非通電状態で、特図Ｂ始動入賞口センサ２６４Ｂで遊技球ＰＢを検出しても、不正行為による入賞であるとして、当該特図Ｂ始動入賞口センサ２６４Ｂの検出信号自体を無効とする機能を備えた監視部３６０において、カバー部材３０６が開放していることをフォトセンサ３５６で検出した場合は、前記無効期間であってもこの無効を解除するようにした。これにより、特図Ｂ始動入賞口センサ２６４Ｂの検査のために、カバー部材３０６を開放して、特図Ｂ始動入賞口１０８Ｂに遊技球ＰＢを手挿入した場合に、この入賞を有効とし、特図Ｂ始動入賞口センサ２６４Ｂの動作状態を判定することができる。
【０１５８】
なお、本発明は、このような遊技仕様であることに限定されるものではなく、様々な遊技仕様のパチンコ機でも実施可能である。例えば、遊技盤面に始動入賞口を設け、その始動入賞口に遊技球が入賞することで内部的に抽選が実行され、画像表示装置（ＬＥＤやＬＣＤ等）による画像演出によって抽選結果を報知し、当該抽選による当選が報知された場合には、通常遊技状態では常に閉止状態の大入賞口を開放し、遊技者に有利な特別遊技状態を付与するような遊技機において、その遊技盤面に設けられた前記始動入賞口を本発明の役物装置で構成するようにしてもよい。
【０１５９】
また、不正行為を未然に防止するために遊技球ＰＢの入賞を無効にする基本構成に対して、当該無効を解除するためのトリガとして、本実施の形態では、カバー部材３０６の開閉状態を検出するフォトセンサ３５６の信号を適用したが、フォトセンサ３５６に限らず、メカ的な動作スイッチ（リミットスイッチ等）を用いてもよい。また、カバー部材３０６の開閉状態に限らず、センサの検査工程において、検査者が入賞口へ遊技球を手挿入するときに障害となる部材が取り外された又は開放された状態を検出すればよい。
【０１６０】
また、ガラス扉の開閉状態を検出することで、仮無効信号を解除するようにしてもよい。
【０１６１】
さらに、本実施の形態における舌状可動片３００や、本実施の形態では適用していないが、電動チューリップの羽根等を通電せずに、手動で開放したことを検出して、仮無効信号を解除するようにしてもよい。例えば、遊技盤１８の正面から開放させたときのみ動作する部材を設ける、或いは人の指を感知する静電センサ等が適用可能である。
【０１６２】
また、検査者の登録証をカードリーダにかざすことで、無効機能を解除するようにしてもよい。さらには、フォトセンサ３５６の代わりに主制御部１５０等の制御基板に検査用のスイッチを設けてもよい。
【０１６３】
また、カバー部材３０６を一方を蝶番で連結し、他方を爪部３５４で係合するようにしたが、磁石等による磁着、弾性変形による圧入であってもよい。また、マジックテープ(登録商標)やねじ等を用いてもよく、要するに迅速かつ簡便に開閉可能であればよい。また、開閉ではなく、着脱する構成であってもよい。
【符号の説明】
【０１６４】
ＰＢ    遊技球
１０    パチンコ機（遊技機）
１６    ガラス枠
１８    遊技盤
１９    遊技領域
５６    遊技機枠演出部
６０    スピーカ
６０Ｃ、６０Ｌ、６０Ｒ    ガラス枠スピーカ
６０Ｕ    受け皿スピーカ
６２    共用表示部
６４    磁石センサ
６６    振動センサ
６８    開放検出センサ
１０５    センター役物
１０６    表示盤
１０７    通過ゲート
１０８Ａ    特図Ａ始動入賞口
１０８Ｂ    特図Ｂ始動入賞口（役物装置）
１１０    大入賞口
１１２    アウト口
１１３    可動体役物
１２６    発光素子
１５０    主制御部
１５２    演出制御部
１５４    払出制御部
１９０    盤用外部端子
１９１    枠用外部端子
２６４Ａ    特図Ａ始動口センサ
２６４Ｂ    特図Ｂ始動入賞口センサ（球検出センサ）
２６６    大入賞口センサ
３００    舌状可動片（可動体）
３０２    入賞開口端部
３０４    ベース部
３０６    カバー部材
３０６Ａ    表示レンズ部
３０８    駆動ユニット
３１０    フランジ部
３１１    遊技盤固定用ネジ孔
３１３    ビス
３１４    入賞案内部（入賞案内部材）
３１６    雌側突起部
３１８    円孔
３５０    装飾プレート部
３５２    ベースプレート部
３２０    雄側突起部
３２２    ビス
３２４    庇部
３２６    ソレノイド（駆動手段）
３２６Ａ    プランジャ
３２６Ｂ    圧縮コイルばね
３２６Ｃ    ソレノイド本体
３２８    シーソー部材
３００    舌状可動片
３１４    入賞案内部
３３０    案内部カバー
３３０Ａ    貫通孔
３３２    ブラケット
３３４    ビス
３５４    爪部
３５６    フォトセンサ（状態検出センサ）
３６０    監視部
３６２    遊技実行制御部
３６４    情報解析部
３６６    判定基準情報読出部
３６８    不正判定部
３７０    判定基準情報記憶部
３７２    不正報知指示部
３７４    検出信号無効判定部（球検出無効化手段）
３７６    無効解除部（解除手段）
【図１】
0005851112.tif 000002
【図２】
0005851112.tif 000003
【図３】
0005851112.tif 000004
【図４】
0005851112.tif 000005
【図５】
0005851112.tif 000006
【図６】
0005851112.tif 000007
【図７】
0005851112.tif 000008
【図８】
0005851112.tif 000009
【図９】
0005851112.tif 000010